(57)【要約】【課題】  圧着搬送体の重量化を抑制しながら静電気が帯電し難い圧着搬送装置を構成する。【解決手段】  供給ユニットＵ１から供給される印画紙Ｐを圧着搬送ユニットＵ２の圧着搬送体Ｆで圧着して直線的に移動し、圧着した印画紙Ｐを露光搬送ユニットＵ３に受け渡す搬送系を構成すると共に、圧着搬送体Ｆを導電性樹脂で形成した。【選択図】        図１ 
2005219916.tif 000002
【特許請求の範囲】
【請求項１】
感光材料供給部から送り出される感光材料に圧着して移動することにより、この感光材料を露光部に送り込む圧着搬送体を備えている圧着搬送装置であって、
前記圧着搬送体が、前記感光材料の感光面の側に配置される第１ガイド体と、感光材料のベース側に配置される第２ガイド体とを備えると共に、第１ガイド体と第２ガイド体との間のスリットに導入された感光材料を圧着する圧着体と、この圧着体を圧着位置及び開放位に切換える切り換え機構とを備えて構成され、前記第１ガイド体と第２ガイド体との少なくとも一方を導電性樹脂で形成してある圧着搬送装置。
【請求項２】
前記圧着搬送体によって前記感光材料供給部から前記露光部に感光材料を搬送する搬送経路が直線状に形成され、この搬送経路の幅方向での中央位置に搬送ラインが設定され、前記第１ガイド体と第２ガイド体との少なくとも一方において前記感光材料と対向する面に前記搬送ラインと平行する姿勢で、搬送ラインを軸にして線対称となる複数のリブを突設し、線対称関係で配置された一対のリブの間隔を複数種の感光材料の幅方向の寸法と異なる間隔に設定してある請求項１記載の圧着搬送装置。
【請求項３】
前記感光材料供給部が、長尺の感光材料を収納するマガジンからの感光材料を切断するカッターと、感光材料を送り出す搬出ローラとを備えて構成され、前記露光部が感光材料を受け入れるために圧着状態と開放状態とに切換自在な導入ローラと、この導入ローラから導入される感光材料を設定速度で搬送しながら、この搬送方向と直交する姿勢の主走査方向にライン状に露光を行うレーザビーム型の露光エンジンとを備えて構成され、前記圧着搬送体は、前記搬出ローラから送り出される感光材料の先端部を圧着して前記導入ローラの側に移動し、この導入ローラに対して前記感光材料の先端部を送り込み、この後に圧着を解除するように構成されている請求項１又は２記載の圧着搬送装置。
【請求項４】
前記圧着搬送体は、前記感光材料の面と直交する姿勢の軸芯周りで揺動自在、かつ、前記感光材料供給部と前記露光部との間で往復作動自在に支持されると共に、この圧着搬送体の揺動姿勢を設定する姿勢設定機構を備えている請求項１〜３のいずれか１項に記載の圧着搬送装置。
【発明の詳細な説明】
【技術分野】
【０００１】
本発明は、感光材料供給部から送り出される感光材料に圧着して移動することにより、この感光材料を露光部に送り込む圧着搬送体を備えている圧着搬送装置に関する。
【背景技術】
【０００２】
上記のように構成された圧着搬送装置としては特許文献１及び特許文献２に記載されるものが存在する。つまり、特許文献１では、マガジンからの感光材（本発明の感光材料）をカッターで切断し、この感光材の幅方向での両端部を一対のチャッカ（本発明の圧着搬送体）で挟持し、この一対のチャッカを上方に向けて直線的に移動させることにより感光材を露光部に送り込むように構成している。夫々のチャッカはスライドベルトの駆動によりガイドレールに沿って移動自在に支持され、夫々のチャッカには感光材を挿通するためのスリットが形成され、このスリットの内部には感光材を挟持するためのチャッカピンを出退作動自在に備えている。
【０００３】
特許文献２では、ペーパマガジンからのペーパー（本発明の感光材料）をプリントサイズに切断し、このペーパーのサイズが小さいものでは、振り分け搬送部において第１チャッカー手段（本発明の圧着搬送体）と第２チャッカー手段（本発明の圧着搬送体）とに交互に受け渡すことにより、ペーパーを２列に振り分ける形態でデジタルプリント部（本発明の露光部）に送り込み、ペーパーのサイズが大きいものでは第１、第２チャッカー手段で幅方向の両端を圧着してデジタルプリント部に送り込むよう搬送形態が構成されている。また、第１、第２チャッカーは夫々とも、一対のペーパーガイドを対向配置することによってペーパーの通過を許すスリットを形成し、このスリットに挿入されたペーパーに圧着するチャックピンを備えている。
【０００４】
【特許文献１】特開２００３‐３３０１３２号公報  （段落番号〔００１１〕〜〔００２５〕、図１、図２）
【特許文献２】特開２００２‐９０９０４号公報  （段落番号〔００１８〕〜〔００４０〕、図１〜図５）
【発明の開示】
【発明が解決しようとする課題】
【０００５】
特許文献１のチャッカ及び特許文献２の第１、第２チャッカーは夫々ともスリットに対して銀塩印画紙等のシート状の感光材料を送り込み、ピンによって圧着することにより感光材料の移動を実現している。しかしながら、スリットに対してシート状の感光材料を送り込むものでは、この送り込み時においてスリットの内面と感光材料とが接触して静電気が発生することがある。特に、デジタルミニラボと称せられるプリント装置に備えられる圧着搬送装置では、高速処理を行うために感光材料がスリット内面に対して高速で接触するものとなり、静電気が発生しやすい状況にあった。
【０００６】
また、圧着搬送体の部位で静電気が発生した場合には、圧着搬送体に感光材料が吸着するため、この圧着搬送体に対する感光材料の送り込みや、圧着搬送体からの感光材料の送出しを適正に行えなえず、結果として感光材料に対する露光処理や、現像処理にも大きい影響を与えるものとなり改善の余地があった。
【０００７】
このような不都合を解消するため、圧着搬送体を金属材で形成することも考えられるが、金属材を用いた場合には、圧着搬送体が重量化して高速作動を行うために大容量の電動モータを必要とするものとなる。特に、広い幅の感光材料を搬送するために、感光材料の幅方向に広い幅の圧着搬送体を構成することを考えると、圧着搬送体を金属材で形成する場合には、所定の強度を得ることや、圧着搬送体自身の振動を抑制するために、ある程度の厚みが必要であるため一層の重量化を招く点においても改善の余地がある。
【０００８】
本発明の目的は、圧着搬送体の重量化を抑制しながら静電気が帯電し難い圧着搬送装置を合理的に構成する点にある。
【課題を解決するための手段】
【０００９】
本発明の特徴は、感光材料供給部から送り出される感光材料に圧着して移動することにより、この感光材料を露光部に送り込む圧着搬送体を備えている圧着搬送装置において、前記圧着搬送体が、前記感光材料の感光面の側に配置される第１ガイド体と、感光材料のベース側に配置される第２ガイド体とを備えると共に、第１ガイド体と第２ガイド体との間のスリットに導入された感光材料を圧着する圧着体と、この圧着体を圧着位置及び開放位に切換える切り換え機構とを備えて構成され、前記第１ガイド体と第２ガイド体との少なくとも一方を導電性樹脂で形成してある点にある。
【００１０】
この構成により、スリットを挟む位置に配置される第１ガイド体と第２ガイド体との少なくとも一方を導電性樹脂で形成することにより、感光材料との接触によって静電気が発生することがあっても、その電荷を第１ガイド体、第２ガイド体の少なくとも一方から外部に流し出すことが容易に行えるものとなり、しかも、強度を高めるために所定の厚さで形成した場合でも、金属材で形成するものと比較して軽量化が容易となる。その結果、スリットに対して感光材料を高速で送り込み、高速で送り出すように静電気が発生しやすい状況であっても、静電気で感光材料を吸着させることがなく、感光材料を円滑に搬送し得る圧着搬送装置が得られたのである。
【００１１】
本発明は、前記圧着搬送体によって前記感光材料供給部から前記露光部に感光材料を搬送する搬送経路が直線状に形成され、この搬送経路の幅方向での中央位置に搬送ラインが設定され、前記第１ガイド体と第２ガイド体との少なくとも一方において前記感光材料と対向する面に前記搬送ラインと平行する姿勢で、搬送ラインを軸にして線対称となる複数のリブを突設し、線対称関係で配置された一対のリブの間隔を複数種の感光材料の幅方向の寸法と異なる間隔を設定しても良い。
【００１２】
この構成により、圧着搬送体のスリットに挿入された感光材料は複数のリブに接触するため、例えば、スリット内面が平滑なものと比較すると、スリット内部で圧着搬送体に接触する面積を小さくして搬送時における摩擦に起因する抵抗を低減でき、しかも、複数のリブがスリットに挿入される感光材料の幅方向での端部から外れた位置に配置されているので、感光材料の端部に付着して持ち込まれた塵埃がリブに付着する現象を回避し、この塵埃を次に送り込まれる感光材料に付着させる不都合を未然に防止できる。
【００１３】
本発明は、前記感光材料供給部が、長尺の感光材料を収納するマガジンからの感光材料を切断するカッターと、感光材料を送り出す搬出ローラとを備えて構成され、前記露光部が感光材料を受け入れるために圧着状態と開放状態とに切換自在な導入ローラと、この導入ローラから導入される感光材料を設定速度で搬送しながら、この搬送方向と直交する姿勢の主走査方向にライン状に露光を行うレーザビーム型の露光エンジンとを備えて構成され、前記圧着搬送体は、前記搬出ローラから送り出される感光材料の先端部を圧着して前記導入ローラの側に移動し、この導入ローラに対して前記感光材料の先端部を送り込み、この後に圧着を解除するように構成しても良い。
【００１４】
この構成により、マガジンからの感光材料をカッターでプリントサイズに切断した後に搬出ローラから圧着搬送体に受け渡すことにより、この感光材料は圧着搬送体で圧着保持され、この後、圧着搬送体を露光部の側に移動させて感光材料の先端を露光部の導入ローラで圧着した後に、圧着搬送体での解除することにより感光材料を導入ローラから露光部に導入できる。
【００１５】
本発明は、前記圧着搬送体は、前記感光材料の面と直交する姿勢の軸芯周りで揺動自在、かつ、前記感光材料供給部と前記露光部との間で往復作動自在に支持されると共に、この圧着搬送体の揺動姿勢を設定する姿勢設定機構を備えても良い。
【００１６】
この構成により、搬出ローラから圧着搬送体に受け渡され、更に、圧着搬送体から導入ローラに受け渡された感光材料の姿勢が所望の姿勢から外れることがあっても、搬出ローラから感光材料が受け渡された後に圧着搬送体を軸芯周りで揺動させることにより、感光材料を適正な姿勢で導入ローラに受け渡すことが可能となり、適正な姿勢の感光材料に露光を行えるのである。
【発明を実施するための最良の形態】
【００１７】
以下、本発明の実施形態を図面に基づいて説明する。
図１及び図２に示すように、感光材料としての銀塩印画紙Ｐ（以下、印画紙Ｐと称する）に対して露光を行う露光ブロックＥｘと、露光された印画紙Ｐの現像処理を行う現像ブロックＤｅと、現像処理後の印画紙Ｐを乾燥する乾燥ブロックＤｒとを筐体１０に収納すると共に、筐体１０の外部位置に筐体１０の上部から水平方向に送り出される印画紙Ｐを搬送ベルト１１からソータ（図示せず）に送り、オーダ単位で仕分けて集積する写真プリント装置が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、露光ブロックＥｘにおいて、その画像情報に基づき印画紙Ｐに対して露光を行える機能を備えたものである。
【００１８】
前記露光ブロックＥｘは、２つの印画紙マガジンＭ、Ｍの一方に収納したロール状の印画紙Ｐを供給ユニットＵ１（感光材料供給部の一例）でプリントサイズに切断して上方に搬送し、この供給ユニットＵ１からの印画紙Ｐを圧着搬送ユニットＵ２（圧着搬送装置の一例）で鉛直姿勢の搬送経路において上方に搬送し、この圧着搬送ユニットＵ２からの印画紙Ｐを露光搬送ユニットＵ３において鉛直姿勢の搬送経路を下方から上方に搬送しながら画像情報の露光を行い、更に、この露光搬送ユニットＵ３から上方に送られる印画紙Ｐを前部搬送ユニットＵ４において搬送方向を水平方向に変換した後、振分ユニットＵ５で水平方向に送り、この後、後部搬送ユニットＵ６から前記現像ブロックＤｅに受け渡すよう印画紙Ｐの搬送系が構成されている。
【００１９】
前記供給ユニットＵ１は、印画紙マガジンＭからの印画紙Ｐを搬送する駆動型のアドバンスローラ１３と、これに圧着する従動ローラ１４とを備えると共に、印画紙Ｐを案内するガイド板（図示せず）を備えている。また、この供給ユニットＵ１には印画紙Ｐをプリントサイズに切断するカッター１５を備え、印画紙Ｐのベース面（基材側の面）に必要な情報をプリントするドットインパクト型のプリントヘッド１６を備え、このプリントヘッド１６の上流側と下流側に配置された圧着型の第１搬送ローラ１７と第２搬送ローラ１８（搬出ローラの一例）とを備えている。
【００２０】
前記圧着搬送ユニットＵ２は、このユニットで搬送される印画紙Ｐの幅方向での中央位置において鉛直姿勢となる搬送ラインＹ（図３を参照：圧着搬送ユニットＵ２における印画紙Ｐの搬送経路の中心位置）が想定され、この搬送ラインＹに沿って上下に往復作動する圧着搬送体Ｆを備え、この圧着搬送体Ｆを上下に往復作動させる駆動機構Ｇを備えている。前記圧着搬送体Ｆは、供給ユニットＵ１からの印画紙Ｐを圧着して上方に移動することにより、圧着した印画紙Ｐを上方に搬送し、このように搬送した印画紙Ｐを露光搬送ユニットＵ３に受け渡す作動を行うものである（詳細は後述する）。尚、印画紙マガジンＭから送り出される印画紙Ｐの幅方向の中心位置は、この印画紙面に直交する方向視において前記搬送ラインＹと一致するものとなる。
【００２１】
前記露光搬送ユニットＵ３は、前記圧着搬送ユニットＵ２から印画紙Ｐを受け入れる導入ローラＲ０と、露光エンジンＥによる露光位置Ｘより上流側に配置された第１圧着ローラＲ１と、露光位置Ｘより下流側に配置された第２圧着ローラＲ２とを備えている。前記導入ローラＲ０は、駆動ローラ２０と、圧着及び開放操作が自在な従動ローラ２１とで構成され、前記第１圧着ローラＲ１及び第２圧着ローラＲ２は、夫々とも駆動ローラ２２と、圧着及び開放操作が自在な従動ローラ２３とで構成されている。
【００２２】
前記露光搬送ユニットＵ３と前記露光エンジンＥとで、印画紙Ｐを搬送しながら画像情報の露光を行う露光部が構成され、この露光エンジンＥは、ケーシングの内部に収納したＲ（赤）、Ｇ（緑）、Ｂ（青）の三原色のレーザ光源からのレーザビームＬＢを音響光学式の変調手段によって光量を調節した後、縦軸芯で回転するポリゴンミラーのミラー面で反射させることにより、印画紙Ｐの搬送速度と同期した速度で主走査方向に走査する形態で前記露光位置Ｘに送り出す構造のものが使用されている。尚、露光エンジンＥとして蛍光ビーム方式、液晶シャッター方式、ＤＭＤ方式等の使用が可能である。
【００２３】
前記前部搬送ユニットＵ４は、湾曲状の搬送経路において圧着状態と開放状態とに切り換え自在に配置された複数の搬送ローラ２４を備えている。この前部搬送ユニットＵ４では前記露光搬送ユニットＵ２から送り出される印画紙Ｐに対する露光が継続している場合には開放状態に維持され、露光が完了したタイミングで圧着状態に切り換えて搬送するように搬送形態が設定されている。
【００２４】
前記振分ユニットＵ５は、印画紙Ｐを挟持して２列の振り分け経路に振り分ける２つのチャッカーＣＨ、ＣＨを備えている。つまり、前記前部搬送ユニットＵ４から送り出される印画紙Ｐが小さいサイズの場合には、前部搬送ユニットＵ４から送り出される印画紙Ｐを２つのチャッカーＣＨ、ＣＨで交互に受け取り、２列の振り分け経路に振り分ける形態で送り出すように搬送形態が設定されている。
【００２５】
前記後部搬送ユニットＵ６は、振分ユニットＵ５で振り分けられた印画紙Ｐを２列の振り分け経路に沿って搬送する複数の圧着ローラ２５を備え、この後部搬送ユニットＵ６から現像ブロックＤｅの現像処理槽２６（図１を参照）に印画紙Ｐを送り込むように構成されている。
【００２６】
前記現像ブロックＤｅには、発色現像槽と漂白定着槽と安定槽とで成る複数の現像処理槽２６を備えると共に、夫々の現像処理槽に印画紙Ｐを供給するよう多数の圧着ローラを有した搬送ユニット２７を備えて構成されている。また、乾燥ブロックＤｒは印画紙に対してブロワー２８からの乾燥空気を供給する搬送経路を形成している。
【００２７】
このように構成された写真プリント装置は従来からのものと基本的に変わるものではなく、本発明では、圧着搬送ユニットＵ２に特徴を有するものである。
【００２８】
図３〜図５に示すように、圧着搬送ユニットＵ２は、金属製のフレーム３０を前記供給ユニットＵ１と共有しており、前記圧着搬送体Ｆは印画紙Ｐの感光面側（乳剤側）に配置される樹脂製の第１ガイド体３１と、印画紙Ｐのベース側に配置される樹脂製の第２ガイド体３２とを幅方向での両端位置で連結することにより第１ガイド体３１と第２ガイド体３２との間に印画紙Ｐが挿通するスリットＳを形成している。
【００２９】
前記第１ガイド体３１と第２ガイド体３２とは型成形によって製造されるものであり、本発明の特徴は第１ガイド体３１を導電性樹脂で形成することにより、好ましくは、第１ガイド体３１と第２ガイド体３２との双方を導電性樹脂で形成することにより静電気を帯電させないようにした点にある。尚、導電性樹脂としてユピエース（登録商標・変性ポリフェニレンエーテル樹脂）が使用されている。
【００３０】
図８に示すように、前記第１ガイド体３１のスリットＳの側に面には、前記搬送ラインＹと平行する姿勢で、搬送ラインＹを軸にして線対称となる複数のリブ３１Ａが突出形成されている。これらのリブ３１Ａは前記マガジンＭに収納されて使用される規格寸法の印画紙Ｐの幅方向の端部から外れた位置に形成されるように予め設定された間隔で配置されている。具体的には、夫々のリブ３１Ａの突出量は０．３ｍｍ程度であり、夫々のリブ３１Ａの幅Ｗは６ｍｍ程度である。また、リブ３１Ａ同士の間隔Ｌ１、Ｌ２、Ｌ３、Ｌ４、Ｌ５は夫々、４０ｍｍ、１３５．１４ｍｍ、１９７．６９ｍｍ、２２１．６９ｍｍ、２６０ｍｍに設定されている。尚、リブ３１Ａの幅Ｗと、リブ３１Ａ同士の間隔Ｌ１、Ｌ２、Ｌ３、Ｌ４、Ｌ５とは、上記した数値に限るものではない。
【００３１】
前記フレーム３０には、前記搬送ラインＹと平行姿勢の金属製のガイドロッド３３と、前記搬送ラインＹと平行姿勢の金属製のガイドプレート３４とを前記フレーム３０に支持する形態で備えており、ガイドロッド３３に対してスライド移動自在にスライド部材３５を外嵌し、このスライド部材３５に対して印画紙面に対して直交する姿勢となる揺動軸芯Ｑ周りで揺動部材３６を外嵌し、この揺動部材３６に対して前記第１ガイド体３１を支持することにより、圧着搬送体Ｆの全体がガイドロッド３３に沿って上下方向に移動自在で、揺動軸芯Ｑ周りで揺動自在となる。また、スライド部材３５と揺動部材３６とは導電性樹脂で形成され、前記圧着搬送体Ｆに静電気が発生した場合にも、静電気をスライド部材３５と揺動部材３６を介して前記ガイドロッド３３又は前記ガイドプレート３４に流し出せるように構成している。
【００３２】
前記駆動機構Ｇは、前記フレーム３０の上部の幅方向の両端側に備えたステッピングモータ型の搬送モータ３７、３７と、この搬送モータ３７で駆動される駆動プーリ３８と、この下方に配置した遊転プーリ３９と、これらの間に巻回したタイミングベルト４０とで構成され、タイミングベルト４０の中間部分を圧着搬送体Ｆの幅方向での両端部に連結固定することにより、搬送モータ３７、３７の駆動力によって圧着搬送体Ｆを昇降できるように構成している。図６及び図７に示すように、第２ガイド体３２の両端に形成した突設片３２Ａに対してタイミングベルト４０の歯部４０Ｔに嵌合する凹凸状の嵌合面３２Ｔを形成し、この嵌合面３２Ｔにタイミングベルト４０の歯部４０Ｔを嵌合させた状態で、第２ガイド体３２に対してビス４１で固定される押さえ金具４２で圧着する形態で、タイミングベルト４０と圧着搬送体Ｆとを連結固定している。また、前記フレーム３０の内面には縦向き姿勢となるガイドレール４３を備え、このガイドレール４３に接触するガイドローラ４４を第１ガイド体３１の幅方向の両端部に遊転支承している。
【００３３】
図５に示すように、前記圧着搬送体Ｆに対して印画紙Ｐを圧着する状態と開放する状態とに切り換え自在な一対の圧着体４６、４６と、この圧着体Ｆを切り換え操作する切り換え機構Ｈとを備えている。つまり、前記第２ガイド体３２に対して印画紙面に対して垂直姿勢となる一対のロッド状の圧着体４６、４６を圧縮バネ４７で突出付勢している。前記一対の圧着体４６、４６は前記搬送ラインＹを中心として対象な位置に配置され、前記第１ガイド体３１には、圧着体４６と対向する位置に受圧体４８を埋め込み固定している。前記圧着体４６の突出側の端部にはゴムや樹脂等の柔軟なコンタクト部材４６Ａを備え、前記受圧体４８もゴムや樹脂等の柔軟な素材で形成されている。
【００３４】
前記切り換え機構Ｈは、第２アーム３２に対して支軸４９周りで揺動自在に支持した操作アーム５０と、この操作アーム５０の被操作端５０Ａに圧接して揺動操作する回転型のカム体５１と、このカム体５１を回転操作するカムモータ５２とで構成され、操作アーム５０の操作端５０Ｂを前記夫々の圧着体４６に突設されたピン４６Ｂに接当する位置に配置している。前記操作アーム５０は、一対の操作端５０が形成され、１つの被操作端部５０Ａに作用する押圧力によって、一対の圧着体４６、４６を同時に開放位置に切換える操作と、同時に圧着位置にセットする操作とを行えるように構成されている。このような構成から、カム体５１が操作アーム５０の被操作端５０Ａに接触しない状態では、一対の圧着体４６、４６は圧縮バネ４７の付勢力によって突出して圧着位置に達し、カム体５１が操作アーム５０の被操作端５０Ａに接触して押圧する状態では、操作端５０Ｂが一対の圧着体４６、４６夫々のピン４６Ｂ、４６Ｂに圧力を作用させ、圧縮バネ４７の付勢力に抗して夫々の圧着体４６が第２アーム３２の側に引き込まれることにより圧着が解除されるものとなる。
【００３５】
この写真プリント装置では、印画紙マガジンＭに収納された印画紙Ｐを次のような制御が行われる。つまり、供給ユニットＵ１では、アドバンスローラ１３の駆動力によって印画紙マガジンＭから引き出された印画紙Ｐをカッター１５の部位に送り、このカッター１５の切断位置をプリントサイズに対応した量だけ通過したタイミングで印画紙Ｐの搬送を一時的に停止し、カッター１５の作動によりプリントサイズに切断する。このようにカッター１５の部位を通過する際には、第１搬送ローラ１７と第２搬送ローラ１８とによって印画紙Ｐが搬送され印画紙Ｐのベース側に対してプリントヘッド１６によって必要な情報がプリントされる。
【００３６】
また、供給ユニットＵ１から印画紙Ｐが送り出される際には、圧着搬送ユニットＵ２において前記圧着搬送体Ｆが、その一対の圧着体４６、４６を開放位置に維持した状態で待機位置ＷＰにセットされ、印画紙Ｐの先端が所定量だけ送込まれたタイミングで一対の圧着体４６、４６を圧着位置に切り換え、この圧着搬送体Ｆを上方へ移動させることにより印画紙Ｐの搬送を開始する。尚、大きいサイズの印画紙Ｐを搬送する際には、前述と同様に印画紙Ｐの先端が所定量だけ送り込まれたタイミングで一対の圧着体４６、４６を圧着位置に切り換え、圧着搬送体Ｆを上方へ移動させることにより印画紙Ｐの搬送を開始するのであるが、前述と同様にカッター１５による切断位置をプリントサイズに対応した量だけ通過したタイミングで前記第１搬送ローラ１７と第２搬送ローラ１８と圧着搬送体Ｆとを停止し、カッター１５の作動によって印画紙Ｐを切断する。
【００３７】
このように圧着搬送体Ｆによって印画紙Ｐの搬送が開始される際には、前記露光搬送ユニットＵ３の導入ローラＲ０を構成する従動ローラ２１が既に開放位置にあり、圧着搬送体Ｆを供給位置ＦＰまで移動させて停止した際には、圧着搬送体Ｆで圧着された印画紙Ｐの先端部が開放状態に導入ローラＲ０に対して挿入する位置関係となる。
【００３８】
次に、導入ローラＲ０の従動ローラ２１を圧着位置に設定することにより駆動ローラ２０と、この従動ローラ２１とで印画紙Ｐの先端が圧着され、この圧着の後に圧着搬送体Ｆの一対の圧着体４６、４６を開放位置に切り換えて圧着搬送体Ｆでの圧着を解除する。この後に導入ローラＲ０の駆動ローラ２０を駆動することにより、露光搬送ユニットＵ３での印画紙Ｐの搬送が開始される。この搬送を継続することにより印画紙Ｐは第１圧着ローラＲ１の側に送られる。
【００３９】
第１、第２圧着ローラＲ１、Ｒ２の駆動ローラ２２、２２は印画紙Ｐの有無に拘わらず駆動状態にあり、導入ローラＲ０で印画紙Ｐの搬送を開始した後には、印画紙Ｐの先端部が前記第１圧着ローラＲ１の部位に達する以前に、前記第１圧着ローラＲ１の従動ローラ２３を開放位置にセットする制御が行われる。そして、この第１圧着ローラＲ１で搬送が可能な位置に印画紙Ｐの先端が達すると、第１圧着ローラＲ１の従動ローラ２３を圧着位置にセットする制御により、この第１圧着ローラＲ１の駆動ローラ２２と従動ローラ２３とで印画紙Ｐを圧着して搬送を開始し、この後、導入ローラＲ０の従動ローラ２１の圧着を解除することにより、印画紙Ｐに対して導入ローラＲ０の側から外力を作用させないようにする。
【００４０】
次に、印画紙Ｐに対する露光が開始された印画紙Ｐの先端が送られる以前に前記第２圧着ローラＲ２の従動ローラ２３を開放位置にセットしておき、この第２圧着ローラＲ２の部位に印画紙Ｐの先端が達したタイミングで従動ローラ２３を圧着位置にセットすることにより、この第２圧着ローラＲ２の駆動ローラ２２と従動ローラ２３とで印画紙Ｐを圧着して搬送を開始し、このように第２圧着ローラＲ２で印画紙Ｐの搬送を開始した後には、適当なタイミングで第１圧着ローラＲ１の従動ローラ２３を開放姿勢に切り換えることにより、第１圧着ローラＲ１の側からの外力を作用させない状態で第２圧着ローラＲ２の搬送力のみによって印画紙Ｐの搬送が行われるのである。
【００４１】
このように供給ユニットＵ１でプリントサイズに切断された印画紙Ｐを圧着搬送ユニットＵ２の圧着搬送体Ｆを介して露光搬送ユニットＵ３に送り込むよう構成された搬送系でも、露光搬送ユニットＵ３に送り込まれた印画紙Ｐが僅かに傾斜することもある。つまり、理想的には印画紙Ｐの側縁は前記搬送ラインＹと平行する姿勢（必然的に印画紙Ｐの先端側及び後端側の端縁も搬送ラインＹと直交する姿勢）となるべきものであるが、供給ユニットＵ１、圧着搬送ユニットＵ２、露光搬送ユニットＵ３と順次、印画紙Ｐを受け渡す際に印画紙Ｐの姿勢が適正な姿勢から外れることがある。
【００４２】
このように印画紙Ｐが傾斜する現象は、写真プリント装置の搬送系において固有の傾向があるため、この傾斜を相殺する姿勢となるよう前記圧着搬送体Ｆを前記揺動軸芯Ｑ周りで揺動させる制御が行われる。つまり、前記圧着搬送体Ｆを待機位置ＷＰで待機させる際には、図９（イ）に示すように、圧着搬送体Ｆの幅方向を前記第２搬送ローラ１８と平行する姿勢に設定しておき、この第２搬送ローラ１８から印画紙Ｐが受け渡された後に、図９（ロ）に示すように、この圧着搬送体Ｆを供給位置ＦＰまで移動させ、印画紙Ｐを前記導入ローラＲ０に受け渡す際には、図９（ハ）に示すように、前記一対のタイミングベルト４０、４０夫々を駆動する搬送モータ３７、３７の駆動量の調節によって圧着搬送体Ｆを前記揺動軸芯Ｑで揺動させ、露光搬送ユニットＵ３において印画紙Ｐを搬送する方向と、印画紙Ｐの側縁との方向とが平行するように印画紙Ｐの姿勢を補正した後に、図９（ニ）に示すように、導入ローラＲ０に印画紙Ｐを受け渡すのである。
【００４３】
前記搬送モータ３７、３７は圧着搬送体Ｆを昇降させる機構として機能すると同時に、圧着搬送体Ｆの揺動姿勢を設定する姿勢設定機構として機能するものであり、前述した制御を行うための制御装置（図示せず）を備え、圧着搬送体Ｆを供給位置ＦＰで揺動させる量は予めデータとして制御装置の不揮発性メモリ等に保存されている。従って、待機位置ＷＰではセンサ類（図示せず）からの信号に基づいて圧着搬送体Ｆの幅方向が第２搬送ローラ１８と平行姿勢となるように搬送モータ３７、３７の駆動量を調節し、この圧着搬送体Ｆが供給位置ＦＰまで移動した際には、保存されたデータに基づいて搬送モータ３７、３７の駆動量を調節することにより、印画紙Ｐの姿勢を補正し得るだけ圧着搬送体Ｆを揺動させているのである。
【００４４】
このように本発明では、圧着搬送ユニットＵ２では圧着搬送体Ｆを構成する第１ガイド体３１を導電性材料で形成しているので（第２ガイド体３２も導電性材料で形成して良い）、スリットＳに対して印画紙Ｐが挿入される際に、スリットＳの内面に印画紙Ｐが接触する等の原因によって静電気が発生しても、導電性材料が静電気を金属製のガイドロッド３３あるいは金属製のガイドプレート３４から外部に流し出し、この圧着搬送体Ｆが静電気で帯電する現象を阻止して、印画紙Ｐの送り込みと、送り出しを円滑に行えるものにしているのである。
【００４５】
また、この第１ガイド体３１のスリットＳの側の内面に複数のリブ３１Ａを突出形成したので、印画紙ＰをスリットＳに対して送り込む際にも摩擦に起因する抵抗を低減して円滑な送り込みと送り出しを行えるものにしている。特に、このリブ３１Ａを印画紙Ｐの端部から外れた位置に形成しているので、印画紙Ｐの端部に付着して持ち込まれた塵埃がリブ３１Ａに付着する現象を回避し、この塵埃を次に送り込まれる印画紙Ｐに付着させる不都合を未然に防止して露光時に塵埃に起因する画質の低下を招かないものにしているのである。
【００４６】
〔別実施の形態〕
本発明は、上記した実施の形態以外に以下のように構成しても良い。
【００４７】
（イ）第１ガイド体と第２ガイド体とを導電性樹脂で一体的に成形する。このように一体的に成形することにより、圧着搬送体Ｆを組み立てる手間が軽減する。
【００４８】
（ロ）圧着搬送体で静電気が発生した場合には、その静電気を積極的に外部に流し出すためのフレキシブルな電気配線を圧着搬送体とフレームとの間に形成する。
【図面の簡単な説明】
【００４９】
【図１】写真プリント装置の縦断側面図
【図２】露光ブロックの印画紙の搬送系を示す側面図
【図３】圧着搬送ユニットの正面図
【図４】圧着搬送体の平面図
【図５】圧着搬送体の縦断側面図
【図６】圧着搬送体とタイミングベルトとの連結部の側面図
【図７】圧着搬送体とタイミングベルトとの連結構造を示す図
【図８】第１ガイド体のリブの配置を示す図
【図９】圧着搬送体において印画紙の姿勢を補正する際の作動順序を示す図
【符号の説明】
【００５０】
１５          カッター
１８          搬出ローラ
３１          第１ガイド体
３１Ａ        リブ
３２          第２ガイド体
４６          圧着体
Ｅ            露光エンジン
Ｆ            圧着搬送体
Ｈ            切り換え機構
Ｍ            マガジン
Ｐ            感光材料
Ｑ            軸芯
Ｓ            スリット
Ｙ            搬送ライン
Ｒ０          導入ローラ
Ｕ１          感光材料供給部
Ｕ２          圧着搬送装置
【図１】
2005219916.tif 000003
【図２】
2005219916.tif 000004
【図３】
2005219916.tif 000005
【図４】
2005219916.tif 000006
【図５】
2005219916.tif 000007
【図６】
2005219916.tif 000008
【図７】
2005219916.tif 000009
【図８】
2005219916.tif 000010
【図９】
2005219916.tif 000011